(57)【要約】【課題】給湯暖房装置の熱効率を向上させる。【解決手段】  給湯暖房装置は、給湯器と、給湯器に給湯用水を供給する給水路と、燃焼ガスによって暖房用水を加熱する加熱器と、暖房端末と加熱器の間で暖房用水を循環させる循環路を備えている。循環路は、加熱器の内部に配置されており、燃焼ガスとの熱交換によって暖房用水を加熱する第１熱交換器を備えている。給水路は、加熱器の内部に配置されており、第１熱交換器を通過した後の燃焼ガスとの熱交換によって給湯用水を加熱する第２熱交換器を備えている。【選択図】図１
2019086224.tif 000002
【特許請求の範囲】
【請求項１】
給湯暖房装置であって、
給湯器と、
給湯器に給湯用水を供給する給水路と、
燃焼ガスによって暖房用水を加熱する加熱器と、
暖房端末と加熱器の間で暖房用水を循環させる循環路と、
を備えており、
循環路は、加熱器の内部に配置されており、燃焼ガスとの熱交換によって暖房用水を加熱する第１熱交換器を備えており、
給水路は、加熱器の内部に配置されており、第１熱交換器を通過した後の燃焼ガスとの熱交換によって給湯用水を加熱する第２熱交換器を備えている給湯暖房装置。
【請求項２】
循環路は、加熱器の内部に配置されており、第１熱交換器を通過した後の燃焼ガスとの熱交換によって暖房用水を加熱する第３熱交換器をさらに備えており、
加熱器に送られた暖房用水は、まず第３熱交換器を通過し、その後に第１熱交換器を通過する請求項１に記載の給湯暖房装置。
【請求項３】
給湯器は、蓄熱タンクを含み、
給水路は、一端が蓄熱タンクに接続されているとともに蓄熱タンクに給湯用水を送る第１通水路と、両端が蓄熱タンクに接続されているとともに中間部に第２熱交換器が設けられている第２通水路と、を備えている請求項１又は２に記載の給湯暖房装置。
【請求項４】
給水路は、中間部に第２熱交換器が設けられているメイン通路と、メイン通路の上流側と下流側に接続されているバイパス通路と、バイパス通路のオンオフを切替える切替弁と、を備えている請求項１又は２に記載の給湯暖房装置。
【発明の詳細な説明】
【技術分野】
【０００１】
本明細書に開示する技術は、給湯暖房装置に関する。
【背景技術】
【０００２】
給湯器と、燃焼ガスによって暖房用水を加熱する加熱器を備える給湯暖房装置が知られている。特許文献１は、暖房端末で利用した暖房用水の戻り温水を加熱器内に供給し、燃焼ガスの排熱を回収（潜熱熱交換）し、再度暖房端末に供給する給湯暖房装置を開示している。また、特許文献１は、必要に応じて、潜熱熱交換した後の暖房用水を加熱器で加熱（顕熱熱交換）し、より高温にして暖房端末に供給している。
【先行技術文献】
【特許文献】
【０００３】
【特許文献１】特開２００５−６１６７７号公報
【発明の概要】
【発明が解決しようとする課題】
【０００４】
特許文献１の給湯暖房装置は、いわゆるコンデンシングタイプであり、暖房用水の戻り温水を加熱するための燃焼ガスの排熱を回収して戻り温水の温度を上昇させ、装置の熱効率を向上させている。本明細書は、装置の構成を見直し、さらに熱効率を向上させることができる給湯暖房装置を提供することを目的とする。
【課題を解決するための手段】
【０００５】
本明細書で開示する給湯暖房装置は、給湯器と、給湯器に給湯用水を供給する給水路と、燃焼ガスによって暖房用水を加熱する加熱器と、暖房端末と加熱器の間で暖房用水を循環させる循環路を備えていてよい。この給湯暖房装置では、循環路は、加熱器の内部に配置されており、燃焼ガスとの熱交換によって暖房用水を加熱する第１熱交換器を備えていてよい。また、給水路は、加熱器の内部に配置されており、第１熱交換器を通過した後の燃焼ガスとの熱交換によって給湯用水を加熱する第２熱交換器を備えていてよい。
【０００６】
上記給湯暖房装置では、給湯用水（第２熱交換器）を用いて加熱器の燃焼ガスの排熱を回収する。一般的に、給湯用水は、水道水であり、暖房端末からの戻り温水よりも低温である。そのため、暖房端末の戻り温水（暖房用水）で燃焼ガスの排熱を回収するよりも、給湯用水で回収した方が排熱の回収量（潜熱熱交換量）が増加し、装置の熱効率が向上する。上記給湯暖房装置は、従来の給湯暖房装置よりも熱効率を向上させることができる。
【０００７】
循環路は、加熱器の内部に配置されており、第１熱交換器を通過した後の燃焼ガスとの熱交換によって暖房用水を加熱する第３熱交換器をさらに備えていてよい。この場合、加熱器に送られた暖房用水は、まず第３熱交換器を通過し、その後に第１熱交換器を通過してよい。燃焼ガスの排熱（潜熱）は、第３交換器によって暖房用水で回収されるとともに、第２熱交換器によって給湯用水で回収される。そのため、装置の熱効率がさらに向上する。
【０００８】
給湯器は、蓄熱タンクを含んでいてもよい。この場合、給水路は、一端が蓄熱タンクに接続されているとともに蓄熱タンクに給湯用水を送る第１通水路と、両端が蓄熱タンクに接続されているとともに中間部に第２熱交換器が設けられている第２通水路を備えていてよい。
【０００９】
上記した蓄熱タンクを含む給湯暖房装置では、外部から供給される給湯用水は、第１通水路を通って一旦蓄熱タンクに導入される。加熱器の排熱回収は、第２通水路を通じて蓄熱タンクから加熱器に供給される給湯用水によって行われる。このような構成にすることにより、給湯（給湯器に給湯用水を供給）の実施の有無に係らず、加熱器の排熱回収を行うことができる。その結果、装置の熱効率をより一層向上させることができる。
【００１０】
また、上記した給湯暖房装置では、給水路は、中間部に第２熱交換器が設けられているメイン通路と、メイン通路の上流側と下流側に接続されているバイパス通路と、メイン通路とバイパス通路のオンオフを切替える切替弁を備えていてもよい。バイパス通路を設けることにより、加熱器が作動していない（暖房端末を利用していない）ときは、給湯用水を加熱器に送ることなく給湯器に送ることができる。
【図面の簡単な説明】
【００１１】
【図１】第１実施例の給湯暖房装置の概略図を示す。
【図２】第２実施例の給湯暖房装置の概略図を示す。
【図３】第３実施例の給湯暖房装置の概略図を示す。
【図４】第４実施例の給湯暖房装置の概略図を示す。
【発明を実施するための形態】
【００１２】
（第１実施例）
図１を参照し、給湯暖房装置１００について説明する。給湯暖房装置１００は、給湯器１０と、暖房用水供給器５０と、コントローラ９０を備えている。給湯器１０は、給湯用水（水道水）を加熱して、カランや浴槽といった給湯箇所へ給湯する。給湯器１０は、給水路２、出湯路８、給湯加熱器１２を備えている。給水路２を流れる給湯用水は、必要に応じて給湯加熱器１２で昇温され、出湯路８から給湯箇所に給湯される。なお、給水路２は、暖房用水供給器５０内の暖房加熱器５２を通過した後、給湯器１０内に導入される。なお、暖房加熱器５２は、加熱器の一例である。暖房用水供給器５０については後述する。
【００１３】
給水路２は、暖房加熱器５２に向かう給水往路４と、暖房加熱器５２を通過して給湯加熱器１２に向かう給水復路６を備えている。給水往路４と給水復路６は接続されている。すなわち、給水路２の中間部分が暖房加熱器５２を通過している。給水路２（給水復路６）を流れてきた給湯用水は、給湯加熱器１２を通過して加熱され、出湯路８に送られる。なお、給水路２（給水復路６）と出湯路８は接続されている。
【００１４】
給湯加熱器１２は、バーナ１８と、潜熱熱交換器１４と、顕熱熱交換器１６を備えている。給水路２（給水復路６）を流れてきた給湯用水は、潜熱熱交換器１４に流れ込み、潜熱熱交換器１４で予備加熱された後、顕熱熱交換器１６においてバーナ１８の燃焼熱によって再加熱される。具体的には、給水路２を流れてきた給湯用水は、潜熱熱交換器１４を通過し、バーナ１８の燃焼ガスから排熱を回収（吸熱）する。バーナ１８の火力（出力）は、コントローラ９０によって制御される。バーナ１８の燃焼ガスは、顕熱熱交換器１６を通過し、さらに潜熱熱交換器１４を通過した後に、給湯加熱器１２の外部に排出される。バーナ１８の燃焼ガスが潜熱熱交換器１４を通過する際に、バーナ１８の燃焼ガスに含まれる水蒸気が結露し、水蒸気が結露するときに放出する潜熱で給水路２内の給水用水が予備加熱される。なお、潜熱熱交換器１４で結露した水には窒素酸化物が溶け込んでおり、酸性ドレインが生じる。潜熱熱交換器１４には中和器を備えたドレイン流路（図示省略）が接続されており、中和器によって中和されたドレイン水が外部に排出される。
【００１５】
給水路２（給水復路６）と出湯路８の間に、バイパス路２０が接続されている。バイパス路２０は、給湯加熱器１２を迂回している。換言すると、バイパス路２０は、給湯加熱器１２と並列に設けられている。バイパス路２０上に、バイパス弁２２が設けられている。バイパス弁２２は流量弁であり、コントローラ９０によって制御される。バイパス弁２２が開かれると、給水路２（給水復路６）と出湯路８がバイパス路２０を介して連通し、給水路２を流れてきた給湯用水は、給湯加熱器１２を通過することなく出湯路８に流れる。
【００１６】
出湯路８には、出湯弁２４が設けられている。出湯弁２４が開くと、給湯器１０から温水が給湯される。コントローラ９０は、図示しない流量計によって出湯路８を流れる給湯用水の流量を監視している。コントローラ９０は、出湯路８を流れる給湯用水の流量に基づいて、バーナ１８の制御、バイパス弁２２の制御を行う。なお、出湯弁２４は、コントローラ９０によって開閉が自動制御されてもよいし、ユーザが開閉を行ってもよい。
【００１７】
暖房用水供給器５０は、暖房用水（熱媒）を加熱して、例えば、床暖房パネル，パネルヒータ，コンベクターヒータ，浴室暖房機，ファンヒータといった暖房端末に送る。暖房用水供給器５０は、暖房加熱器５２と循環路７０を備えている。循環路７０は、暖房端末８０と暖房加熱器５２の間で暖房用水を循環させる。循環路７０は、暖房端末８０から暖房加熱器５２へ暖房用水を送る暖房往路６２と、暖房加熱器５２から暖房端末８０に暖房用水を送る暖房復路６０を備えている。暖房往路６２と暖房復路６０は接続されている。暖房往路６２には、暖房用ポンプ７２が設けられている。暖房用ポンプ７２は、循環路７０において暖房用水を循環させる。暖房用ポンプ７２は、コントローラ９０によって制御される。暖房加熱器５２の詳細は後述する。
【００１８】
暖房復路６０は、第１通路６６と第２通路６８に分岐している。第１通路６６は、暖房往路６２の中間に接続されている。また、暖房往路６２の中間には、第３通路７４も接続されている。第３通路７４は、第１通路６６より下流（暖房加熱器５２側）で暖房往路６２に接続されている。第２通路６８は、高温暖房端末８４に接続されており、暖房加熱器５２で加熱された暖房用水を高温暖房端末８４に送る。第１通路６６は、暖房加熱器５２で加熱された暖房用水を暖房往路６２に供給する。第３通路７４は、低温暖房端末８２に接続されている。第３通路７４は、暖房端末８０からの戻り温水と暖房加熱器５２で加熱された暖房用水が混合された暖房用水を低温暖房端末８２に送る。第３通路７４を流れる暖房用水は、第２通路６８を流れる暖房用水より低温である。
【００１９】
第１通路６６上に、流量調整弁６４が設けられている。流量調整弁６４を制御することによって、第１通路６６と第２通路６８に流れる暖房用水の流量を調整する。すなわち、流量調整弁６４の開度を大きくすると、暖房復路６０を流れる暖房用水（暖房加熱器５２で加熱された暖房用水）は、第１通路６６に多く流入する。流量調整弁６４の開度を小さくする程、暖房復路６０から第１通路６６に流入する暖房用水の量が減り、第２通路６８に流入する暖房用水の量が増える。流量調整弁６４の開度を制御することにより、低温暖房端末８２に送られる暖房用水（第３通路７４を流れる暖房用水）の温度を調節することができる。また、第２通路６８上に熱動弁７８が設けられており、第３通路７４上に熱動弁７６が設けられている。熱動弁７８を開くと高温暖房端末８４に暖房用水が供給され、閉じると高温暖房端末８４への暖房用水の供給が停止する。同様に、熱動弁７６を開くと低温暖房端末８２に暖房用水が供給され、閉じると低温暖房端末８２への暖房用水の供給が停止する。上記した流量調整弁６４，熱動弁７６，７８は、コントローラ９０によって制御される。
【００２０】
暖房加熱器５２は、バーナ５８と、潜熱熱交換器５４と、顕熱熱交換器５６を備えている。顕熱熱交換器５６は第１熱交換器の一例であり、潜熱熱交換器５４は第２熱交換器の一例である。暖房往路６２を流れてきた暖房用水は、暖房加熱器５２内の顕熱熱交換器５６を通過してバーナ５８によって加熱された後、暖房復路６０に送られる。すなわち、暖房往路６２を流れてきた暖房用水は、バーナ５８の燃焼ガスとの熱交換によって加熱される。給湯暖房装置１００では、暖房往路６２を流れてきた暖房用水（戻り温水）は、顕熱熱交換器５６のみで加熱される。
【００２１】
上記したように、給水路２は、暖房加熱器５２内を通過する。具体的には、給水路２（給水往路４）を流れてきた給湯用水（水道水）が潜熱熱交換器５４を通過し、バーナ５８の燃焼ガスから排熱を回収（吸熱）する。バーナ５８の燃焼ガスは、顕熱熱交換器５６を通過し、さらに潜熱熱交換器５４を通過した後に、暖房加熱器５２の外部に排出される。バーナ５８の燃焼ガスが潜熱熱交換器５４を通過する際に、バーナ５８の燃焼ガスに含まれる水蒸気が結露し、水蒸気が結露するときに放出する潜熱で給水路２内の給水用水が加熱される。なお、潜熱熱交換器５４も、潜熱熱交換器１４と同様に、中和器を備えたドレイン流路（図示省略）が接続されている。
【００２２】
給水路２を流れる給湯用水は水道水であり、通常、暖房往路６２を流れてきた暖房用水（戻り温水）よりも低温である。そのため、給湯用水を潜熱熱交換器５４に流すことによって、例えば暖房用水を潜熱熱交換器５４に流すよりも、より多くの熱を回収することができる。すなわち、給水路２を暖房用水供給器５０の暖房加熱器５２（潜熱熱交換器５４）を通過させることにより、バーナ５８の燃焼ガスから排熱をより多く回収することができ、給湯暖房装置１００の熱効率を向上させることができる。
【００２３】
また、給水路２を暖房用水供給器５０の暖房加熱器５２を通過させることにより、暖房加熱器５２で加熱された給湯用水を、そのまま給湯水として用いることもできる。例えば、バイパス弁２２として止水可能な止水弁を用いると、バイパス弁２２を開くことにより、給水路２と出湯路８をバイパス路２０で連通させ、給湯加熱器１２を利用することなく出湯することもできる。また、バイパス弁２２を閉じることにより、給水路２を流れてきた給湯用水は、給湯加熱器１２を通過して加熱された後に出湯路８に流れる。なお、バイパス弁２２として止水弁タイプを用いる場合、バイパス弁のオンオフ（開閉）は、給湯温度と給水復路６を流れる給湯用水の温度に基づいてコントローラ９０によって制御される。給湯加熱器１２の運転を停止させることができ、給湯暖房装置１００のエネルギー効率を向上させることができる。なお、上記したコントローラ９０は、各通路（給水路２，出湯路８，循環路７０）内の液体の温度に基づいて、暖房用ポンプ７２の出力（回転数）、各弁２２，６４，７６，７８の開閉、バーナ１８，５８の出力を制御する。
【００２４】
（第２実施例）
図２を参照し、給湯暖房装置２００について説明する。給湯暖房装置２００は、給湯暖房装置１００の変形例である。給湯暖房装置２００について、給湯暖房装置１００と同一の構成については、給湯暖房装置１００と同一又は下二桁が同一の参照番号を付すことにより、説明を省略することがある。
【００２５】
給湯暖房装置２００は、給湯器１０と、暖房用水供給器２５０と、コントローラ９０を備えている。給湯器１０の構造は、給湯暖房装置１００と同一である。暖房用水供給器２５０は、暖房加熱器２５２と循環路２７０を備えている。暖房加熱器２５２は、バーナ５８と、潜熱熱交換器２５４と、潜熱熱交換器２５５と、顕熱熱交換器５６を備えている。潜熱熱交換器２５５は、第３熱交換器の一例である。バーナ５８の燃焼ガスは、顕熱熱交換器５６を通過した後、潜熱熱交換器２５５を通過し、さらに潜熱熱交換器２５４を通過した後に、暖房加熱器２５２の外部に排出される。給水路２は、潜熱熱交換器２５４を通過している。暖房往路６２を流れてきた暖房用水は、潜熱熱交換器２５５に流れ込み、潜熱熱交換器２５５で予備加熱された後、顕熱熱交換器５６においてバーナ５８の燃焼熱によって再加熱される。すなわち、給湯暖房装置２００は、給水路２を流れる給湯用水と暖房往路６２を流れる暖房用水（戻り温水）の両方でバーナ５８の燃焼ガスから排熱を回収する。給湯暖房装置２００は、バーナ５８の燃焼ガスの排熱をより多く回収することができ、装置の熱効率を一層向上させることができる。
【００２６】
（第３実施例）
図３を参照し、給湯暖房装置３００について説明する。給湯暖房装置３００は、給湯暖房装置２００の変形例である。給湯暖房装置３００について、給湯暖房装置３００と同一の構成については、給湯暖房装置２００と同一又は下二桁が同一の参照番号を付すことにより、説明を省略することがある。
【００２７】
給湯暖房装置３００は、給湯器１０及び暖房用水供給器２５０の構造は、給湯暖房装置２００と同一である。給湯暖房装置３００では、給水往路４と給水復路６の間に、暖房加熱器２５２（潜熱熱交換器２５４）を迂回するバイパス路３０が設けられている。すなわち、給水往路４と給水復路６で構成されるメイン通路（給水路２）の上流側と下流側に、両者を接続するバイパス路３０が設けられている。給水往路４にバイパス路３０が接続する箇所には、三方弁３２が設けられている。三方弁３２は、給水路２に供給された給湯用水が給水往路４を流れて暖房加熱器２５２に向かう流路（メイン通路）と、給湯用水がバイパス路３０を流れて給湯加熱器１２に向かう流路（バイパス通路）を切替える。三方弁３２は、切替弁の一例である。給湯暖房装置３００は、暖房加熱器２５２が駆動していないとき（バーナ５８が点火していないとき）に、給湯用水を暖房用水供給器２５０に通過させることを省略することができる。なお、給水往路４と給水復路６の間にバイパス路３０を設ける構成は、給湯暖房装置１００に適用することもできる。バイパス路３０のオンオフ（三方弁３２の切替え）は、コントローラ９０によって制御される。
【００２８】
（第４実施例）
図４を参照し、給湯暖房装置４００について説明する。給湯暖房装置４００は、給湯暖房装置２００の変形例である。給湯暖房装置４００について、給湯暖房装置２００と同一の構成については、給湯暖房装置２００と同一又は下二桁が同一の参照番号を付すことにより、説明を省略することがある。
【００２９】
給湯暖房装置４００は、給湯器４１０と、暖房用水供給器２５０と、コントローラ９０を備えている。暖房用水供給器２５０の構造は、給湯暖房装置２００と同一である。給湯器４１０は、蓄熱タンク３と、ヒートポンプ５を備えている。蓄熱タンク３には、第１通水路７と、第２通水路９と、第３通水路１１と、出湯路８が接続されている。第１通水路７は、蓄熱タンク３の下部に接続されている。外部から供給される給湯用水は、第１通水路７を通じて蓄熱タンク３に送られる。なお、第１通水路７の中間部に三方弁１７が設けられており、三方弁１７の出口の１つは、バイパス路１５を通じて出湯路８に接続されている。そのため、三方弁１７を制御することにより、外部から供給される給湯用水の一部を、蓄熱タンク３に送ることなく、蓄熱タンク３から出湯路８に供給された給湯水に混合することができる。換言すると、蓄熱タンク３から出湯路８に供給される給湯水（温水）の温度を、第１通水路７に供給される給湯用水（水道水）で調整することができる。
【００３０】
第２通水路９は、両端が蓄熱タンク３に接続されている。第２通水路９は、暖房加熱器２５２を通過している。第２通水路９は、蓄熱タンク３から暖房加熱器２５２に向けて給湯用水が流れる給水往路９ａと、暖房加熱器２５２から蓄熱タンク３に向けて給湯用水が流れる給水復路９ｂを備えている。給水往路９ａと給水復路９ｂは接続されている。そのため、第２通水路９は、中間部が暖房加熱器２５２を通過して、バーナ５８の燃焼ガスから排熱を回収する。給水往路９ａは、蓄熱タンク３の下部に接続されている。給水復路９ｂは、蓄熱タンク３の上部に接続されている。第２通水路９は、給湯用水を暖房加熱器２５２と蓄熱タンク３の間で循環させる循環路である。なお、給水往路９ａに給水ポンプ２３が設けられている。給水ポンプ２３を駆動すると、蓄熱タンク３内に貯えられた給湯用水は、給水往路９ａを通って暖房加熱器２５２に送られ、暖房加熱器２５２で加熱された（バーナ５８の燃焼ガスの排熱を回収した）後に、給水復路９ｂを通って蓄熱タンク３に戻る。給水ポンプ２３は、コントローラ９０によって制御される。なお、蓄熱タンク３内における給湯用水の温度は、蓄熱タンク３の上部で高く、下部で低い。そのため、蓄熱タンク３内には、温度成層が形成されている。
【００３１】
第３通水路１１は、両端が蓄熱タンク３に接続されている。第３通水路１１は、ヒートポンプ５を通過する。具体的には、第３通水路１１内の給湯用水は、ヒートポンプ５によって加熱される。第３通水路１１は、蓄熱タンク３からヒートポンプ５に向けて給湯用水が流れる給水往路１１ａと、ヒートポンプ５から蓄熱タンク３に向けて給湯用水が流れる給水復路１１ｂを備えている。給水往路１１ａは、蓄熱タンク３の下部に接続されている。給水復路１１ｂは、蓄熱タンク３の上部に接続されている。第３通水路１１は、給湯用水を蓄熱タンク３とヒートポンプ５の間で循環させる循環路である。給水往路１１ａに給水ポンプ２１が設けられている。給水ポンプ２１を駆動すると、蓄熱タンク３内に貯えられた給湯用水は、給水往路１１ａを通ってヒートポンプ５に送られ、ヒートポンプ５で加熱された後に、給水復路１１ｂを通って蓄熱タンク３内に戻る。給水ポンプ２１は、コントローラ９０によって制御される。
【００３２】
ヒートポンプ５は、冷媒を循環させるための冷媒循環路３１と、蒸発器３９と、ファン４１と、圧縮機３７と、凝縮器３５と、膨張弁３３を備えている。蒸発器３９は、ファン４１によって送風された外気と冷媒循環路３１内の冷媒の間で熱交換を行う気液熱交換器である。蒸発器３９には、膨張弁３３を通過した後の低温低圧の液体状態である冷媒が供給される。蒸発器３９は、冷媒と外気を熱交換させることによって、冷媒を加熱する。冷媒は、加熱されることにより気化し、比較的高温で低圧の気体状態となる。
【００３３】
圧縮機３７には、蒸発器３９を通過した後の冷媒が供給される。すなわち、圧縮機３７には、比較的高温で低圧の気体状態の冷媒が供給される。圧縮機３７によって冷媒が圧縮されることにより、冷媒は高温高圧の気体状態となる。圧縮機３７は、圧縮後の高温高圧の気体状態の冷媒を凝縮器３５に送り出す。
【００３４】
凝縮器３５には、圧縮機３７から送り出された高温高圧の気体状態の冷媒が供給される。凝縮器３５は、冷媒循環路３１内の冷媒と第３通水路１１内の給湯用水の間で熱交換を行う、液液熱交換器である。冷媒は、凝縮器３５で熱交換されて（熱を奪われて）凝縮する。これにより、冷媒は、比較的低温で高圧の液体状態となる。
【００３５】
膨張弁３３には、凝縮器３５を通過した後の比較的低温で高圧の液体状態の冷媒が供給される。冷媒は、膨張弁３３を通過することによって減圧され、低温低圧の液体状態となる。すなわち、膨張弁３３は、凝縮器３５からの冷媒を減圧する減圧器として機能する。膨張弁３３を通過した冷媒は、上記した通り、蒸発器３９に送られる。
【００３６】
ヒートポンプ５において、圧縮機３７を作動させると、冷媒循環路３１内の冷媒は、蒸発器３９、圧縮機３７、凝縮器３５、膨張弁３３の順に循環する。ヒートポンプ５が作動すると、凝縮器３５において、第３通水路１１内の給湯用水が加熱される。
【００３７】
給湯暖房装置４００では、外部から給湯用水が供給される給水路（第１通水路７）と、暖房加熱器２５２に給湯用水を供給する給水路（第２通水路９）が直接接続されていない。すなわち、第１通水路７と第２通水路９の間に蓄熱タンク３が介在している。そのため、給湯器４１０が給湯を行っていないときであっても、暖房加熱器２５２のバーナ５８の燃焼ガスから排熱を回収して蓄熱タンク３内に蓄えることができる。また、出湯路８と第２通水路９も直接接続されていないので、給湯を行うときに暖房加熱器２５２が作動していないときは、給湯用水を暖房加熱器２５２に送ることなく、蓄熱タンク３内の給湯用水を利用して給湯を行なうことができる。
【００３８】
なお、上記第１実施例において、第３実施例と同様に、給水往路４と給水復路６の間に、暖房加熱器５２を迂回するバイパス路を設けてもよい。また、第４実施例において、第１実施例と同様に、暖房用水を顕熱熱交換器のみに供給していてもよい。
【００３９】
以上、本明細書に開示の技術の具体例を詳細に説明したが、これらは例示にすぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時請求項記載の組合せに限定されるものではない。
【符号の説明】
【００４０】
２：給水路
１０：給湯器
５０：暖房用水供給器
５２：加熱器（暖房加熱器）
５４：第２熱交換器（潜熱熱交換器）
５６：第１熱交換器（顕熱熱交換器）
７０：循環路
１００：給湯暖房装置
【図１】
2019086224.tif 000003
【図２】
2019086224.tif 000004
【図３】
2019086224.tif 000005
【図４】
2019086224.tif 000006